(57)【特許請求の範囲】
【請求項１】
出入口枠を構成する上下左右四つの枠部材における一方の堅枠部材に蝶番を介して扉が開閉自在に枢支されているとともに、前記各枠部材は室外側に位置する前方口とこの前方口よりも小口の室内側に位置する後方口とから形成され前方口の後端部と後方口とのギャップの部分に弾性材により形成された戸当りが配設されて密封状態で前記扉が閉成可能であり、前記下枠部材と蝶番側堅枠部材は可動不能に開口において堅固に一体化されており、且つ前記上枠部材は上下方向に互いに可動可能に組み合わされた型材を横方向に並べた複数のコイルバネにより結構し、前記開閉側型枠部材は左右方向に互いに可動可能に組み合わされた型材の内側に、出入口枠の幅方向に橋洛された複数の剛性の挫屈片が上下方向に適宜間隔において配設されていることを特徴とする出入口枠。
【発明の詳細な説明】
【０００１】
【発明の属する技術分野】
本発明は、建物や部屋の壁の開口に取り付けられて出入口を構成する出入口枠に関し、詳しくは、蝶番を介して扉を枢支する剛性の出入口枠に関する。
【０００２】
【従来の技術】
建物や部屋の出入り口の扉は、柱や出入口枠に蝶番を介して取り付けられるものであるが、建物の耐震化、堅牢化に伴い、剛性の出入口枠が多く使用され、この出入口枠は、鴨居や敷居に相当する上下枠部材と柱に相当する竪枠部材とで方形に枠組みされ、これら枠部材は鋼製の型材によって形成されている。
【０００３】
【発明が解決しようとする課題】
ところで、鋼製の型材によって形成された四つの枠部材を枠組みした従来の出入口枠は、堅牢ではあるが、大きい地震によって建物の壁が揺動すると、それに伴い周囲の壁の圧迫を受けて変形し、震動が収まった後、永久変形することがある。すると、扉の外縁と出入口枠の内縁とが部分的に圧接状態となり、接触圧力により扉の開放が困難となる。
【０００４】
図８は、地震によって揺動する出入口枠５０の動きを模型化して示したものである。図８（ａ）は正常時に於ける出入口枠５０と、該出入枠５０に収まった扉５１の閉扉状態を示し、図８（ｂ）、（ｃ）は、地震によって出入口枠５０が周囲の壁から左右交互の側圧Ｐを受けて変形した状態を示している。そして、図に於ける矢印Ｆの部分、即ち、出入口枠５０の内側の対角近傍と扉２の外縁の対角近傍とが接触し、出入口枠５０が永久変形すると圧接箇所になることを示している。
【０００５】
上述のように、地震により出入口枠５０が変形し、出入口枠５０と扉５１との圧接箇所が発生して扉を開放することが不能に陥ると、緊急な避難口の確保が困難となる。従って、火災が発生した場合などには非常な事態を引き起こすこととなる。
【０００６】
本発明は、上記の問題に鑑みてなされたもので、地震により出入口枠が変形して扉の外縁と出入口枠の内縁とが接触状態となっても、扉の開放を可能とすることにより、緊急時に於ける避難口を確保することを課題としている。
【０００７】
【課題を解決するための手段】
本発明は、上記の問題点を解決するためになされたものであって、出入口枠を構成する上下左右四つの枠部材における一方の堅枠部材に蝶番を介して扉が開閉自在に枢支されているとともに、前記各枠部材は室外側に位置する前方口とこの前方口よりも小口の室内側に位置する後方口とから形成され前方口の後端部と後方口とのギャップの部分に弾性材により形成された戸当りが配設されて密封状態で前記扉が閉成可能であり、前記下枠部材と蝶番側堅枠部材は可動不能に開口において堅固に一体化されており、且つ前記上枠部材は上下方向に互いに可動可能に組み合わされた型材を横方向に並べた複数のコイルバネにより結構し、前記開閉側型枠部材は左右方向に互いに可動可能に組み合わされた型材の内側に、出入口枠の幅方向に橋洛された複数の剛性の挫屈片が上下方向に適宜間隔において配設されており、地震によって生じる出入口枠と扉との接触圧力を上下部材や開閉側堅枠部材により吸収する。
【０００８】
また、緩衝部材にバネを使用することにより、出入口枠と扉との接触圧力を弾性的に吸収するとともに、接触圧力が排除された枠部材はバネの力で原形復帰して再使用することが可能となる。
【０００９】
また、緩衝部材に剛性の挫屈片を使用し、出入口枠と扉との接触圧力を挫屈片による永久変形で吸収するようにしてもよい。
【００１０】
【発明の実施の形態】
以下、本発明の好適な実施の形態を添付図面を参照しながら詳細に説明する。
【００１１】
図１乃至図６は、本発明の出入口枠の実施の形態を示すもので、符合１は、図１に示すように、出入り口となる建物や部屋の壁Ｗと床Ｔに囲まれた開口に取り付けられる出入口枠であり、蝶番３を介して扉２を開閉自在に枢支している。該出入口枠１は、上下左右四つの枠部材（上枠部材４、下枠部材５、蝶番側竪枠部材６、開閉側竪枠部材７）から構成され、これら各枠部材４、５、６、７は、開口を形成する壁ｗや床ｆに埋め込まれたアングルや鉄筋などの取り付け部（図示省略）を介して周知の固着手段（例えば、溶接、接着、螺鋲止め、コーキング、これらの組合わせ、など）でそれぞれ取り付けられ、全体として方形の出入口枠１となっている。
【００１２】
扉２を枢支する出入口枠１における左右方向の内側は、図２に示すように、扉２の前面側２ｆを露出して扉２を開閉自在に収納する室外側に位置する前方口Ｆと、この前方口Ｆよりも僅かに小口の室内側に位置する後方口Ｂとから形成されている。前方口Ｆの後端部と後方口Ｂの後端部とのギャップの部分には護謨やエラストマーなどの弾性体で形成された管状の戸当り８が嵌込まれており、閉扉時において、扉２の後面の周縁部が弾性的に当接するようになっている。
【００１３】
また、出入口枠１の前方口Ｆに収納される扉２は、化粧鋼板を用いて中空の厚板状に堅固に形成されており、その内部に芯材として断熱性、遮音性に優れ、且つ気密性の高い珪酸アルミ無機シートコア（図示省略）を装填しておくとよい。
【００１４】
出入口枠１を構成する前記上下左右四つの枠部材４、５、６、７の中で、下枠部材５と蝶番側竪枠部材６の枠部材内には、図２、図４、に於いて、クロスハッチングで示すモルタルが充填されており、これら各枠部材５、６を構成する各型材５ａ、５ｂ、５ｃおよび６ａ、６ｂ、６ｃはそれぞれ可動不能に堅固に一体化されている。
【００１５】
一方、上枠部材４は、図２および図３に示すように、折り曲げ形成された二つの型材４ａ、４ｂによって構成されている。この型材４ａ、４ｂは、それぞれ鉤状に屈曲した互いの両端部が重なり合って接触部Ｓ１、Ｓ２が形成されているとともに、上下方向に離反不能に組み合わされている。この接触部Ｓ１、Ｓ２は当接状態にあって固着されてはおらず、各型材４ａ、４ｂは上枠部材４の上下方向に互いに可動可能に組み合わされた可動枠部材となっている。
【００１６】
また、上枠部材４の下側には、型材４ａ、４ｂを結構し、型材４ａ、４ｂの間を上下方向に弾性的に橋洛するコイルバネ９が適宜間隔をおいて数カ所に配設されている。このコイルバネ９は、型材４ａ、４ｂを上下に付勢して弾性的に支えるとともに、上枠部材４に加わる上下方向の接触圧力を吸収する緩衝部材となっている。尚、緩衝部材として用いられるバネ材は、図示したコイルバネ９に限るものではなく、要は型材４ａ、４ｂの間に橋洛されて梁状に弾性的に支え、外圧を吸収するものであればよい。従って、バネとゴムなどの弾性体との複合体など、その種類や形、材質を限定するものではない。
【００１７】
また、開閉側竪枠部材７は、図４および図５に示すように、折り曲げ形成された二つの型材７ａ、７ｂと、平板状の型材７ｃとが組み合われて柱状に構成されている。二つの型材７ａ、７ｂは、それぞれ鉤状に屈曲した互いの一端部が重なり合って接触部Ｓ３が形成されているとともに、平板状の型材７ｃが型材７ａ、７ｂの折り曲げられた他端部の内側に配置されて当接し、接触部Ｓ４、Ｓ５が形成されている。そして、各接触部Ｓ３、Ｓ４、Ｓ５は当接状態にあって固着されてはおらず、各型材７ａ、７ｂ、７ｃは互いに可動可能に組み合わされており、既述した上枠部材４と同様に可動枠部材となっている。
【００１８】
また、開閉側竪枠部材７における左右方向の内側には、出入口枠１の幅方向に橋洛された剛性の挫屈片１０が上下に適宜間隔をおいて数カ所に配設されている。この挫屈片１０は、型材７ａ、７ｂ、７ｃを内側から可動可能に梁状に支えるとともに、型材７ａ、７ｂ、７ｃを結構して開閉側竪枠部材７を柱状に一体化している。
【００１９】
該挫屈片１０は、図６に示すように、鋼板を逆Ｍ字状に折り曲げ形成した梁を兼ねた緩衝部材であり、挫屈片１０の両端の縦壁１０ａ、１０ａの外面と開閉側竪枠部材７の内壁とが溶接されて配設される。また、挫屈片１０の中央の山頂部には挫屈部となる切溝１０ｂが設けられ、且つ山頂部中央には挫屈し易くする為の孔１０ｃが穿孔されている。
【００２０】
尚、上枠部材４と開閉側竪枠部材７の中空部には、緩衝部材９、１０が配設された部分を残して、枠部材の芯材としてアルミ無機シートコア（図示省略）を装填しておくとよい。
【００２１】
また、上記実施の形態においては、上枠部材５と開閉側竪枠部材７の二つの枠部材を緩衝部材９、１０を内設した可動枠部材としたが、出入口枠１を構成する全ての枠部材４、５、６、７を可動枠部材としてもよいことはいうまでもない。
【００２２】
また、上枠部材４の緩衝部材をコイルバネ９ではなく、図７に示すように、挫屈片１０を上下方向に固定して用いてもよい。この場合、地震により上枠部材４が変形し扉２と接触して圧迫を受けると、挫屈片１０が挫屈し、永久変形することにより扉２の接触圧力を吸収する。
【００２３】
以上のように構成された本実施の形態の出入口枠１も、強い地震によって揺動すると、図８による説明で既述したように、出入口枠１は周囲の壁の側圧を受けて、出入口枠１の対角近傍と扉２の外縁とが接触する。そして、震動が収まった後に生じる出入口枠１自身の永久変形によって、出入口枠１と扉２とは接触状態となることがある。
【００２４】
しかしながら、扉２との接触圧力が所定の強度を越えると可動枠部材の中の緩衝部材（コイルバネ９、挫屈片１０）が作動する。即ち、コイルバネ９は撓み、挫屈片１０は挫屈して扉２との接触圧力を吸収する。従って、地震によって出入口枠１と扉２とが接触状態となっても扉２を開放することが可能となり、緊急避難口を確保することができる。
【００２５】
尚、緩衝部材にコイルバネ９が使用されている場合は、扉２による可動枠部材への接触圧力を取り除けば、変形状態にある可動枠部材はコイルバネ９の復元力により自己復帰して再使用ができる。また、緩衝部材が挫屈片１０の場合は、挫屈片１０が永久変形して接触圧力を吸収するので、扉２による可動枠部材への接触圧力を取り除いても可動枠部材の変形は残る。従って、挫屈した挫屈片１０を交換するか、変形した可動枠部材全体を交換して出入口枠体１を再構築する。
【００２６】
【発明の効果】
以上説明したような形態で実施される本発明の出入口枠によれば、以下の効果を奏することができる。
【００２７】
本発明の出入口枠によれば、出入口枠を構成する枠部材を複数の剛性の型材を互いに非固着状態に組み合わせて形成するとともに、枠部材内に型材を結構する緩衝部材を橋洛させて設けたので、地震により出入口枠が変形して出入口枠と扉とが接触状態となっても、出入口枠自身が接触圧力を吸収し、扉の開放機能は維持されている。従って、出入り口からの緊急避難が確保され、大事な事態を防止する有用な発明である。
【００２８】
上記の効果に加え、緩衝部材にバネを使用すると、出入口枠と扉との接触を解消し、扉による接触圧力を排除すれば、変形した可動枠部材はバネの力で原形に復帰する。従って、可動枠部材を再使用することができ、経済的である。
【００２９】
緩衝部材に剛性の挫屈片を梁状に使用すると、堅固な可動枠部材が構成できるとともに、出入口枠と扉との接触圧力は挫屈片が永久変形して吸収する。従って、接触箇所の接触圧力は解消されてしまうので、扉の開放が容易である。
【図面の簡単な説明】
【図１】  本発明の出入口枠の実施の形態を示す正面図。
【図２】  同出入口枠の実施の形態を示す縦断面図。
【図３】  同出入口枠の実施の形態に於いて使用される上枠部材の要部の斜視図。
【図４】  同出入口枠の実施の形態を示す横断面図。
【図５】  同出入口枠の実施の形態に於いて使用される開閉側竪枠部材の要部の斜視図。
【図６】  図５の開閉側竪枠部材に使用される挫屈片の斜視図。
【図７】  別の出入口枠の実施の形態を示す従断面図。
【図８】  扉を枢支した出入口枠の地震による動きを示す説明図。
【符号の説明】
１  出入口枠
２  扉
３  蝶番
４、５、６、７  枠部材
４ａ、４ｂ、５ａ、５ｂ、５ｃ、６ａ、６ｂ、６ｃ、７ａ、７ｂ、７ｃ  型材  ９、１０  緩衝部材
【図１】
0003751690.tif 000002
【図２】
0003751690.tif 000003
【図３】
0003751690.tif 000004
【図４】
0003751690.tif 000005
【図５】
0003751690.tif 000006
【図６】
0003751690.tif 000007
【図７】
0003751690.tif 000008
【図８】
0003751690.tif 000009